(57)【要約】【課題】ユーザは、現在地に関連する案内を視聴するために、再生モードとして１曲終了モードを選択したうえで、曲送り操作を繰り返さなければならないこと。【解決手段】再生対象を第Ｎ番目の案内から第Ｎ＋１番目の案内１０とするための曲送り命令１１を送信するか否かは、現在位置１２と第Ｎ＋１番目の案内１０に係る案内位置１３との距離に依存する。すなわち、現在位置１２ａでは、曲送り命令１１は、送信されない。他方、現在位置１２ｂでは、曲送り命令１１は、送信される。本実施の形態では、曲送り命令１１は、携帯電話機２０からカーオーディオ装置３０に送信される。案内１０は、音声１０ａ及び画像（例えば、交差点案内図）１０ｂで出力される。【選択図】図１
2008271179.tif 000002
【特許請求の範囲】
【請求項１】
現在位置及び案内順序が付される案内位置を記憶する記憶部と、
再生対象を第Ｎ番目の案内から第Ｎ＋１番目の案内にするための曲送り命令を送信するか否かを、前記記憶部に記憶される現在位置と前記記憶部に記憶され第Ｎ＋１番目の案内位置との距離に応じて制御する処理部を備えるリモートコントローラ。
【請求項２】
現在位置を得るためのＧＰＳ受信機を備える請求項１のリモートコントローラ。
【請求項３】
案内順序が付される案内位置を得るためのインターフェース部を備える請求項１又は請求項２のリモートコントローラ。
【請求項４】
リモートコントロール機能を有する携帯型電子機器であって、
現在位置及び案内順序が付される案内位置を記憶する記憶部と、
再生対象を第Ｎ番目の案内から第Ｎ＋１番目の案内にするための曲送り命令を送信するか否かを、前記記憶部に記憶される現在位置と前記記憶部に記憶され第Ｎ＋１番目の案内位置との距離に応じて制御する処理部を備える携帯型電子機器。
【請求項５】
コンピュータに対して、
再生対象を第Ｎ番目の案内から第Ｎ＋１番目の案内にするための曲送り命令を送信するか否かを、現在位置と第Ｎ＋１番目の案内に係る案内位置との距離に応じて制御する処理を実行させるためのリモートコントロールプログラム。
【請求項６】
現在位置及び案内順序が付される案内位置を記憶する記憶部と、
再生対象を第Ｎ番目の案内とするための曲指定命令を送信するか否かを、前記記憶部に記憶される現在位置と前記記憶部に記憶され第Ｎ番目の案内に係る案内位置との距離に応じて制御する処理部を備えるリモートコントローラ。
【請求項７】
現在位置を得るためのＧＰＳ受信機を備える請求項６のリモートコントローラ。
【請求項８】
案内順序が付される案内位置を得るためのインターフェース部を備える請求項６又は請求項７のリモートコントローラ。
【請求項９】
リモートコントロール機能を有する携帯型電子機器であって、
現在位置及び案内順序が付される案内位置を記憶する記憶部と、
再生対象を第Ｎ番目の案内とするための曲指定命令を送信するか否かを、前記記憶部に記憶される現在位置と前記記憶部に記憶され第Ｎ番目の案内に係る案内位置との距離に応じて制御する処理部を備える携帯型電子機器。
【請求項１０】
コンピュータに対して、
再生対象を第Ｎ番目の案内とするための曲指定命令を送信するか否かを現在位置と第Ｎ番目の案内に係る案内位置との距離に応じて制御する処理を実行させるためのリモートコントロールプログラム。
【発明の詳細な説明】
【技術分野】
【０００１】
本発明は、リモートコントロール機能に関し、特に、リモートコントローラ、携帯型電子機器及びリモートコントロールプログラムに関する。
【背景技術】
【０００２】
背景技術として、案内（例えば、文章や図形等）を基地ユニットから遠隔ユニットに送信して案内を遠隔ユニットで表示するシステムが知られている（例えば、特許文献１を参照）。
【特許文献１】特表平１０−５０２１７４号公報（図５及び図１１）
【発明の開示】
【発明が解決しようとする課題】
【０００３】
背景技術の下、オーディオ装置で簡易なナビゲーション機能を実現することが試みられている。例えば、緯度経度に対応付けられた案内は、インターネットを介して提供可能である。また、文章による案内を音声に変換することも可能である。したがって、ユーザは、インターネットを介してメモリにダウンロードされた案内をオーディオ装置で再生すれば、案内を視聴できる。
【０００４】
ところが、ユーザは、現在地に関連する案内を視聴するために、再生モードとして１曲終了モードを選択したうえで、曲送り操作を繰り返さなければならない。つまり、曲送り操作が煩わしいという課題があった。
【課題を解決するための手段】
【０００５】
本発明は、再生対象を第Ｎ番目の案内から第Ｎ＋１番目の案内にするための曲送り命令を送信するか否かを、現在位置と第Ｎ＋１番目の案内に係る案内位置との距離に応じて制御することである。本発明における字句の解釈は、次のとおりである。
【０００６】
「案内」とは、「案内位置」に関連する情報（例えば、交差点案内）である。「案内」は、少なくとも音声で出力される。もちろん、「案内」は、音声で出力されるとともに、画像で出力されてもよい。しかも、「案内」には、「案内順序」が付される。この「案内順序」は、「案内位置」にも付される。つまり、「案内順序」は、「案内」及び「案内位置」との間で共通する。
【０００７】
「送信」の方式は、命令を一方の機器から他方の機器に送るものであれば足りる。好ましくは、無線送信方式が採用される。無線送信方式の例として、赤外線方式やブルートゥース（Ｂｌｕｅｔｏｏｔｈ）方式（登録商標）などがある。
【０００８】
「現在位置」は、「曲送り命令」を送信する主体が現に存在する位置である。この位置は、「曲送り命令」を送信する主体に備えられ又は接続される「ＧＰＳ受信機」によって得られる。「ＧＰＳ受信機」の他に、各種センサ（例えば、速度センサ）が用いられてもよい。
【０００９】
「第Ｎ＋１番目の案内に係る案内位置」は、「案内順序が付される案内位置」のうち「第Ｎ＋１番目の案内」に関連するものである。「案内順序が付される案内位置」は、「曲送り命令」を送信する主体に備えられる「インターフェース部」によって得られる。「インターフェース部」は、他の機器と有線通信（例えば、ＵＳＢ接続）若しくは無線通信（例えば、Ｂｌｕｅｔｏｏｔｈ（登録商標））をし、又は携帯型記憶装置（例えば、ＳＤカード（登録商標））に接続するための部位である。「案内順序が付される案内位置」は、「インターフェース部」を介して「記憶部」に記憶される。「記憶部」は、主記憶装置（例えば、ＲＡＭ等）か２次記憶装置（例えば、ハードディスク等）かを問わない。
【００１０】
「否かを・・・距離に応じて制御」とは、「距離」が距離閾値以下（未満）であれば、「命令を送信」し、「距離」が距離閾値以下（未満）でなければ、「命令を送信」しないことである。
【００１１】
「制御」処理は、「リモートコントロールプログラム」及びハードウエア（コンピュータ）の協働又はハードウエア単体によって実現される。「曲送り命令」を送信する主体において、「処理部」が「制御」を実現する。
【００１２】
「曲送り命令」を送信する主体の例として、「リモートコントローラ」や「携帯型電子機器」などがある。「携帯型電子機器」の例として、携帯電話機やＰＤＡ等がある。
【００１３】
本発明は、再生対象を第Ｎ番目の案内とするための曲指定命令を送信するか否かを現在位置と第Ｎ番目の案内に係る案内位置との距離に応じて制御することである。本発明における字句の解釈は、次のとおりである。
【００１４】
「第Ｎ番目」とは、「案内順序」の中の特定の順番である。その他の解釈は、前述と同じである。
【発明の効果】
【００１５】
本発明は、再生対象を次の案内とするための曲送り命令又再生対象を第Ｎ番目の案内とするための曲指定命令を自動的に送信することで、操作の煩わしさを解消できるという効果を奏する。
【発明を実施するための最良の形態】
【００１６】
本発明を実施するための最良の形態（以下、本実施の形態という）は、図１乃至図４で示される。
【００１７】
＜送信例＞本実施の形態に係る送信例は、図１で示される。再生対象を第Ｎ番目の案内から第Ｎ＋１番目の案内１０（以下、案内１０という）とするための曲送り命令１１を送信するか否かは、現在位置１２と第Ｎ＋１番目の案内１０に係る案内位置１３（以下、案内位置１３という）との距離に依存する。すなわち、現在位置１２ａでは、曲送り命令１１は、送信されない。他方、現在位置１２ｂでは、曲送り命令１１は、送信される。本実施の形態では、曲送り命令１１は、携帯電話機２０からカーオーディオ装置３０に送信される。案内１０は、音声１０ａ及び画像（例えば、交差点案内図）１０ｂで出力される。
【００１８】
＜前提条件１＞本実施の形態に係る前提条件は、図２で示される。前述の送信例を実現するためには、案内列４０及び案内位置列４１が必要である。すなわち、案内列４０には、案内１０が含まれる。また、案内位置列４１には、案内位置１３が含まれる。
【００１９】
案内列４０及び案内位置列４１は、案内リスト４３を源泉とする。案内リスト４３は、インターネット５０を介してサーバ５１（例えば、ＭＡＰＱＵＥＳＴやＧＯＯＧＬＥＭＡＰＳ）からＰＣ５２にダウンロードされる。
【００２０】
案内列４０は、次の方法で得られる。案内リスト４３に含まれる文字４３ａは、ＰＣ５２によって音声（例えば、ＭＰ３形式）４０ａに変換される。音声４０ａは、案内リスト４３での順序４３ｂに等しい案内順序４０ｂが付された状態（例えば、ポインタによる関連付け）で、携帯型記憶装置（例えば、ＳＤカード）５３ａに記憶される。また、音声４０ａは、案内リスト４３に含まれる画像４３ｃに関連付けられる。つまり、案内列４０は、携帯型記憶装置５３ａを介して、カーオーディオ装置３０に取り込まれる。
【００２１】
案内位置列４１は、次の方法で得られる。案内リスト４３に含まれる座標４３ｄは、ＰＣ５２によって抽出され、案内位置列４１の要素４１ａとなる。案内位置列４１の要素４１ａは、案内リスト４３での順序４３ｂに等しい案内順序４１ｂが付された状態（例えば、ポインタによる関連付け）で、携帯型記憶装置（例えば、ｍｉｃｒｏＳＤカード）５３ｂに記憶される。つまり、案内位置列４１は、携帯型記憶装置５３ｂを介して、携帯電話機２０に取り込まれる。
【００２２】
＜前提条件２＞前述の送信例を実現するためには、カーオーディオ装置が、携帯型記憶装置５３ａから案内列４０を得るためのインターフェース部、携帯電話機２０によって送信された曲送り命令１１を受信するための受信部（例えば、赤外線通信部）及び１曲終了モードを実現するためのソフトウエアモジュールを備えなければならない。ここで、１曲終了モードとは、１曲分の再生が終了しても、次の曲の再生を開始しない機能である。
【００２３】
もっとも、いずれの部品も公知であるので、当該カーオーディオ装置を製造するのは当業者であれば可能である。
【００２４】
＜ハードウエア構成について＞本実施の形態に係る携帯電話機２０のハードウエア構成は、図３で示される。携帯電話機２０は、ＳｏＣ（Ｓｙｓｔｅｍ ｏｎ Ｃｈｉｐ）２１を少なくとも備える。
【００２５】
ＳｏＣ２１は、処理部及び記憶部を一体化したものである。すなわち、ＲＯＭ、ＣＰＵ、ＲＡＭ及びＩ／Ｏが含まれる。
【００２６】
ＲＯＭには、ＢＩＯＳ等の基本プログラムの他に、リモートコントロールプログラム及びこのプログラム用のデータが記憶される。
【００２７】
Ｉ／Ｏには、ＧＰＳ受信機２２、インターフェース部（以下、Ｉ／Ｆ部という）２３及び赤外線通信部（以下、ＩＲ部という）２４が接続される。
【００２８】
ＧＰＳ受信機２２は、現在位置を取得するための部品である。現在位置は、ＲＡＭに記憶される。
【００２９】
Ｉ／Ｆ部２３は、携帯型記憶装置５３ｂから案内位置列４１を取得するための部品（例えば、ＳＤカードリーダ）である。案内位置列４１は、ＲＡＭに記憶される。
【００３０】
ＩＲ部２４は、曲送り命令１１を送信するための部品である。曲送り命令１１は、カーオーディオ装置３０によって受信される。
【００３１】
＜送信制御処理について＞本実施の形態に係る送信制御処理（以下、本処理という）は、ＣＰＵがＲＯＭに記憶されるリモートコントロールプログラムを実行することで実現する。本処理は、図４で示される。現在位置１２と第Ｎ＋１番目の案内位置１３との距離Ｄ（Ｎ＋１）が演算される（Ｓ１）。このとき、現在位置１２及び第Ｎ＋１番目の案内位置１３は、ＲＡＭからＣＰＵのレジスタに読み出される。また、距離Ｄ（Ｎ＋１）は、ＣＰＵのレジスタに記憶される。
【００３２】
距離Ｄ（Ｎ＋１）と距離閾値Ｄ０とが比較される（Ｓ２）。このとき、距離Ｄ（Ｎ＋１）が距離閾値Ｄ０以上であれば（Ｓ２の「≧」）、Ｓ１からＳ２までの手続が繰り返される。
【００３３】
他方、距離Ｄ（Ｎ＋１）が距離閾値Ｄ０未満であれば（Ｓ２の「＜」）、曲送り命令１１を送信するための命令が出力される（Ｓ３）。これによって、ＩＲ部２４は、曲送り命令１１をカーオーディオ装置３０に送信する。カーオーディオ装置３０は、曲送り命令１１を受けて、再生対象を第Ｎ番目の案内から第Ｎ＋１番目の案内１０とする。
【００３４】
Ｓ１乃至Ｓ３の手続は、Ｎの値を１ずつインクリメントしながら繰り返される（いわゆるループ処理）。繰り返しの範囲は、Ｎが１以上ｎ−１以下（１≦Ｎ≦ｎ−１）である。ここで、ｎは、案内順序４１ｂの中で最後の順番を示す数である。しかも、本処理では、再生を開始するための再生開始命令が曲送り命令１１とともに送信されてもよい。
【００３５】
＜本実施の形態における効果＞本実施の形態によれば、再生対象を第Ｎ番目の案内から第Ｎ＋１番目の案内１０（以下、案内１０という）とするための曲送り命令１１を送信するか否かは、現在位置１２と第Ｎ＋１番目の案内１０に係る案内位置１３（以下、案内位置１３という）との距離に依存する。したがって、現在位置１２が案内位置１０に近づく度に、曲送り操作をする必要はない。すなわち、曲送り操作の煩わしさは、解消される。
【００３６】
＜変形例＞本実施の形態に係る曲送り命令１２に代えて、再生対象を第Ｎ番目の案内とするための曲指定命令が採用されてもよい。この変形例に係る送信制御処理は、図５で示される。本処理は、所定の周期（例えば、５分周期）でメイン処理から呼び出される。
【００３７】
初期化が行われる（Ｓ１１）。すなわち、案内順序Ｎは、「１」に設定される（Ｓ１１）。案内順序Ｎとｎとが比較される（Ｓ１２）。ｎは、案内順序４１ｂの中で最後の順番を示す数である。案内順序Ｎがｎより大きければ（Ｓ１２の「＞」）、本処理は、終了する。他方、案内順序Ｎがｎ以下であれば（Ｓ１２の「≦」）、現在位置と第Ｎ番目の案内位置との距離Ｄ（Ｎ）が演算される（Ｓ１３）。このとき、現在位置及び第Ｎ番目の案内位置は、ＲＡＭからＣＰＵのレジスタに読み出される。また、距離Ｄ（Ｎ）は、ＣＰＵのレジスタに記憶される。距離Ｄ（Ｎ）と距離閾値Ｄｚとが比較される（Ｓ１４）。このとき、距離Ｄ（Ｎ）が距離閾値Ｄｚ以上であれば（Ｓ１４の「≧」）、「１」がＮの値に加算される（Ｓ１５）。そして、Ｓ１２乃至Ｓ１４の手続が実行される。他方、距離Ｄ（Ｎ）が距離閾値Ｄｚ未満であれば（Ｓ１４の「＜」）、再生対象を第Ｎ番目の案内とするための曲指定命令を送信するための命令が出力される（Ｓ１６）。これによって、ＩＲ部２４は、曲指定命令をカーオーディオ装置３０に送信する。カーオーディオ装置３０は、曲指定命令を受けて、再生対象を第Ｎ番目の案内とする。
【００３８】
本変形例によれば、再生対象を第Ｎ番目の案内とするための曲送り命令１１を送信するか否かは、現在位置と第Ｎ番目に係る案内位置との距離に依存する。したがって、曲指定操作の煩わしさは、解消される。車両等が案内順序どおり走行しない場合であっても、最寄の案内位置に係る案内を自動的に得ることができる。
【産業上の利用可能性】
【００３９】
本発明は、リモートコントローラや携帯電話機等に有用である。
【図面の簡単な説明】
【００４０】
【図１】本実施の形態に係る送信例を示す図
【図２】本実施の形態の前提となるシステム構成を示す図
【図３】本実施の形態に係る携帯電話機のハードウエア構成を示す図
【図４】本実施の形態に係る送信制御処理の流れを示すフロー図
【図５】変形例に係る送信制御処理の流れを示すフロー図
【符号の説明】
【００４１】
１０    案内
１１    曲送り命令
１２    現在位置
１３    案内位置
２０    携帯電話機
２１    ＳｏＣ（処理部及び記憶部）
２２    ＧＰＳ受信機
２３    インターフェース部
４０ｂ    案内順序
４１ａ    案内位置
４１ｂ    案内順序
【図１】
2008271179.tif 000003
【図２】
2008271179.tif 000004
【図３】
2008271179.tif 000005
【図４】
2008271179.tif 000006
【図５】
2008271179.tif 000007